(57)【要約】  本発明は、ベース（６）と、フロントパネル（２５）と、後壁（２２）と、引き出し（２４）の移動方向に延びる２つの側方バー（１）とから成る引き出し（２４）に関する。本発明の目的は、側方バーの安定性を高め、怪我の危険を防止し或いは少なくとも減らすとともに、引き出しの使い易さを向上させることである。本発明によれば、ベース（６）から離れた方を向く上側領域において、少なくとも１つの機能的形状ロッド（７）が、ロックにより及び／又は接着層により、少なくとも１つの側方バー及び／又はフロントパネル（２５）及び／又は後壁（２２）に対して固定されている。機能的形状ロッド（７）は、開放した安定化させる中空形状ロッドとして具現化されるとともに、Ｃ形状の非対称な断面を有する。本発明の引き出しは、キッチンユニットに特に適している。【選択図】図４０
2008541809.tif 000002
【特許請求の範囲】
【請求項１】
引き出しベース（６）と、フロントパネル（２５）と、後壁（２２）とを備える引き出し（２４）であって、引き出し（２４）の移動方向に延び且つそれぞれが前記引き出しベース（６）のための締結要素（２）と中空形状部を形成する複数の形状要素（３、４）とから形成される２つの側方バー（１）を備える引き出し（２４）において、
前記引き出しベース（６）から離れた当該引き出し（２４）の上側領域では、ロックにより及び／又は接着層により、少なくとも一方の前記側方バー（１）及び／又は前記フロントパネル（２５）及び／又は前記後壁（２２）に対して少なくとも１つの機能的形状ストリップ（７）が固定されていることを特徴とする引き出し。
【請求項２】
前記機能的形状ストリップ（７）が、開放した安定化させる中空形状ストリップとして構成されていることを特徴とする、請求項１に記載の引き出し。
【請求項３】
前記機能的形状ストリップ（７）がＣ形状の断面を有することを特徴とする、請求項２に記載の引き出し。
【請求項４】
前記機能的形状ストリップ（７）が非対称断面を有することを特徴とする、請求項３に記載の引き出し。
【請求項５】
前記機能的形状ストリップ（７）の自由端領域には、互いに対向し且つ前記機能的形状ストリップ（７）の溝と係合し及び／又は前記機能的形状ストリップの角ばった領域の背後に達するロックウェブが設けられていることを特徴とする、請求項２〜４のいずれか一項に記載の引き出し。
【請求項６】
前記機能的形状ストリップ（７）が、マルチチャンバ形状ストリップとして構成されるとともに、少なくとも１つの開放チャンバ（１４）と少なくとも１つの閉じられたチャンバ（１３）とを有することを特徴とする、請求項１に記載の引き出し。
【請求項７】
前記閉じられたチャンバ（１３）が、半円状の円弧（１２）と、引き出しの内部に面する側で前記円弧（１２）に隣接する直線部分とによって画定されることを特徴とする、請求項６に記載の引き出し。
【請求項８】
前記閉じられたチャンバ（１３）が、互いに所定の角度、好ましくは直角を成して位置される２つのウェブによってほぼ画定され、前記閉じられたチャンバ（１３）の内部がほぼ三角形であることを特徴とする、請求項６に記載の引き出し。
【請求項９】
前記閉じられたチャンバ（１３）が、前記サイドバー（１）の高さを上げるため、逆Ｖ字形状の円弧（１２）によって画定されることを特徴とする、請求項６に記載の引き出し。
【請求項１０】
前記機能的形状ストリップ（７）が、開放チャンバ（１３）を備える開放中空形状ストリップとして構成され、その自由端領域が、互いに離れるように外側に向けられ且つアンダーカット溝と係合するロックウェブ（８、９）を有することを特徴とする、請求項１に記載の引き出し。
【請求項１１】
中実アーム（１１）が前記機能的形状ストリップ（７）の目に見える外面に取り付けられ或いは当該外面と一体に形成されていることを特徴とする、請求項１に記載の引き出し。
【請求項１２】
前記機能的形状ストリップ（７）が接着層によって前記サイドバー（１）に対して強固に接続されていることを特徴とする、請求項１に記載の引き出し。
【請求項１３】
前記機能的形状ストリップ（７）には内側脚部及び／又は外側脚部（１５、１６）が設けられ、脚部の自由端が、前記引き出しベース（６）に関連付けられた下側領域内へと延びていることを特徴とする、請求項１２に記載の引き出し。
【請求項１４】
前記機能的形状ストリップ（７）が開放中空形状ストリップとして構成され、前記機能的形状ストリップ（７）の外面と内面との間にキャビティが設けられ、特定の領域において、前記内面が前記機能的形状ストリップ（７）の外面と接触し、これらの面が接着層（１８）によって互いに結合されることを特徴とする、請求項１に記載の引き出し。
【請求項１５】
前記機能的形状ストリップ（７）が開放中空形状ストリップとして構成され、その内面と前記サイドバー（１）の外面との間にキャビティ（１７）が設けられ、共押し出し成形によって形成されたストリップ状の層がこれらのキャビティ（１７）内に設けられていることを特徴とする、請求項１に記載の引き出し。
【請求項１６】
前記サイドバー（１）には、引き出しベース（６）から離れた上側に、２つのスプリングウェブ（２０、２１）が設けられ、前記機能的形状ストリップ（７）のロックウェブ（８、９）が弓形を成して外側に向けて開放していることを特徴とする、請求項１に記載の引き出し。
【請求項１７】
前記機能的形状ストリップ（７）のロックウェブ（８、９）から離れた上面が円弧状に延びており、この円弧領域が波状を成していることを特徴とする、請求項１６に記載の引き出し。
【請求項１８】
前記機能的形状ストリップ（７）の断面が対称であり、当該断面が半円又は楔形状を成していることを特徴とする、請求項１５に記載の引き出し。
【請求項１９】
前記機能的形状ストリップ（７）には、前記ロックウェブ（８、９）から離れた側に、中実アーム（２３）が設けられていることを特徴とする、請求項１８に記載の引き出し。
【請求項２０】
前記機能的形状ストリップ（７）には、前記サイドバー（１）のアンダーカット溝と係合する外側に向けられたロックウェブ（８、９）が設けられ、前記機能的形状ストリップ（７）が中実アームとして構成されていることを特徴とする、請求項１に記載の引き出し。
【請求項２１】
前記機能的形状ストリップ（７）が、マルチチャンバ形状部として構成されるとともに、一方側が開放した少なくとも２つのチャンバ（３１）を有し、一方の開放チャンバ（３１）が、引き出し部品に接続するための接続チャンバとして構成され、他方の開放チャンバ（３１）が光源受けチャンバとして構成されていることを特徴とする、請求項１に記載の引き出し。
【請求項２２】
前記光源受けチャンバ（３１）には、半透明材料から成るカバーストリップ（３２）を固定するために、少なくとも１つのロックウェブ（３６、３７）が設けられていることを特徴とする、請求項２１に記載の引き出し。
【請求項２３】
前記光源受けチャンバ（３１）には、互いに平行に位置され且つ互いに離間して配置された２つのロックウェブ（３６、３７）が設けられ、前記カバーストリップ（３２）には、対応して配置された保持ウェブ（３８、３９）が設けられていることを特徴とする、請求項２２に記載の引き出し。
【請求項２４】
前記光源受けチャンバ（３１）が、半透明材料から成るカバーストリップ（３２）によってカバーされ、このカバーストリップ（３２）が前記光源受けチャンバ（３１）の自由端に対して接着されることを特徴とする、請求項２１に記載の引き出し。
【請求項２５】
前記光源受けチャンバ（３１）がカバーストリップ（３２）を使用してカバーされ、前記カバーストリップ（３２）が前記機能的形状ストリップ７と１部品で形成されていることを特徴とする、請求項２１に記載の引き出し。
【請求項２６】
引き出し（２４）の各サイドバー（１）の上側領域には１つ以上の光源（２６、２７、２８、２９）が設置されていることを特徴とする、請求項２１に記載の引き出し。
【請求項２７】
前記引き出し（２４）が、前記光源（２６）が設置される少なくとも１つのレールを有して構成され、前記レールには１つ以上の光出口が設けられていることを特徴とする、請求項２１に記載の引き出し。
【請求項２８】
前記機能的形状ストリップ（７）が、生じる光ビームが上方へ方向付けられ、引き出しベース（６）へ向けて斜めに方向付けられ、あるいは、前記機能的形状ストリップ（７）のいずれかの側で方向付けられるように構成され及び／又は前記サイドバー（１）上に配置されることを特徴とする、請求項２１〜２７のいずれか一項に記載の引き出し。
【請求項２９】
前記サイドバー（１）には、引き出しの内側に面する側に、１つ以上の光源（２６）を固定できる窪みが設けられていることを特徴とする、請求項２１に記載の引き出し。
【請求項３０】
前記窪みには、互いに平行に延び且つ互いに離間して配置される２つのロックウェブ（３６、３７）が設けられ、前記窪みが、半透明材料から成るカバーストリップ（３２）を使用してカバーされ、前記カバーストリップには、前記窪み内へ突出し且つ前記ロックウェブ（３６、３７）に対して積極的に接続される保持ウェブ（３８、３９）が設けられていることを特徴とする、請求項２９に記載の引き出し。
【請求項３１】
前記機能的形状ストリップ（７）が、当該機能的形状ストリップ（７）から吊るすことができ或いは機能的形状ストリップ（７）に対して固定できる引き出し挿入体（４０）のための保持ストリップとして構成されていることを特徴とする、請求項１に記載の引き出し。
【請求項３２】
前記引き出し挿入体（４０）を備える前記機能的形状ストリップ（７）が、前記サイドバー（１）の上端に対して取り付けることができる１部品形状の部品であることを特徴とする、請求項３１に記載の引き出し。
【請求項３３】
前記機能的形状ストリップ（７）には上方に向けられたウェブ（４１）が設けられ、前記引き出し挿入体（４０）が関連する側でフック形状を成し、それにより、前記引き出し挿入体が前記ウェブ（４１）から吊るすことができることを特徴とする、請求項３１に記載の引き出し。
【請求項３４】
前記引き出し挿入体（４０）がチャンネル状を成し、前記引き出し挿入体（４０）のベースと前記引き出しベース（６）との間に間隔が設けられ、あるいは、前記引き出し挿入体（４０）のベースが前記引き出しベース（６）と接触することを特徴とする、請求項３１〜３３のいずれか一項に記載の引き出し。
【請求項３５】
前記引き出し挿入体（４０）が、１つ以上のボトルを受けるためのボトルホルダとして構成されていることを特徴とする、請求項３１〜３３のいずれか一項に記載の引き出し。
【請求項３６】
前記引き出し挿入体（４０）が、前記機能的形状ストリップ（７）の前記ロックウェブ（３６、３７）に対して積極的に接続される保持ウェブ（３８、３９）を外側に有することを特徴とする、請求項３１に記載の引き出し。
【請求項３７】
前記引き出し挿入体（４０）がロック手段によって前記機能的形状ストリップ（７）に対して接続され、前記ロック手段が弾性を有することを特徴とする、請求項３１に記載の引き出し。
【請求項３８】
前記機能的形状ストリップ（７）が側方に開放するチャンバ又は上方に開放するチャンバを有し、前記引き出し挿入体（４０）の前記ロック手段が、側方に配置され或いはベースの窪み内に配置されていることを特徴とする、請求項３７に記載の引き出し。
【請求項３９】
前記機能的形状ストリップ（７）が、２部品構造を成すとともに、前記形状要素（３）に対して積極的に及び／又は非積極的に接続される基本形状ストリップ（４２）と当該基本形状ストリップに対して積極的に及び／又は非積極的に接続されるカバー形状ストリップ（４３）とから成ることを特徴とする、請求項１に記載の引き出し。
【請求項４０】
前記基本形状ストリップ（４２）が、前記カバー形状ストリップ（４３）に面する側に、前記カバー形状ストリップ（４３）の対向する形状部分が挿入されて結合されるアンダーカット溝（４４）を有することを特徴とする、請求項３９に記載の引き出し。
【請求項４１】
前記結合が、ロック凹部（４７）と係合するロックカム（４６）によって形成されることを特徴とする、請求項４０に記載の引き出し。
【請求項４２】
前記カバー形状ストリップ（４３）が、前記基本形状ストリップ（４２）から離れた外側に、隆起したハンドル（４５）を有することを特徴とする、請求項３９〜４１のいずれか一項に記載の引き出し。
【請求項４３】
前記基本形状ストリップ（４２）及び前記カバー形状ストリップ（４３）が、側方フィルムヒンジ又は弾性変形可能な接続ストリップ（４８）によって互いに結合されることを特徴とする、請求項３９に記載の引き出し。
【請求項４４】
前記基本形状ストリップ（４２）及び前記カバー形状ストリップ（４３）が、ロック溝（５０）と係合するロックウェブ（４９）によって互いに結合され、好ましくは互いに取り外し可能に結合されることを特徴とする、請求項４３に記載の引き出し。
【請求項４５】
前記ロックウェブ（４９）が、前記カバー形状ストリップ（４３）に取り付けられ或いは前記カバー形状ストリップ（４３）と一体に形成され、前記ロック溝（５０）が前記基本形状ストリップ（４２）に設けられていることを特徴とする、請求項４４に記載の引き出し。
【請求項４６】
引き出し部品（５３）の背後に達し且つ断面が角ばったフックが、引き出しの内側に面する端部領域で前記形状要素（３）に対して取り付けられ或いは一体に形成されていることを特徴とする、請求項１〜４５のいずれか一項に記載の引き出し。
【請求項４７】
前記フック（５２）が弾性変形可能な材料から形成されていることを特徴とする、請求項４６に記載の引き出し。
【請求項４８】
前記基本形状ストリップ（４２）及び前記カバー形状ストリップ（４３）が、関連するロック溝（５４）と係合する少なくとも１つのロックウェブ（５５）のみによって互いに結合されることを特徴とする、請求項３９に記載の引き出し。
【請求項４９】
前記ロックウェブ（５５）が前記カバー形状ストリップ（４３）に対して取り付けられ或いは一体に形成され、前記ロック溝（５４）が前記基本形状ストリップ（４２）に設けられていることを特徴とする、請求項４８に記載の引き出し。
【請求項５０】
前記機能的形状ストリップ（７）が１部品で形成されるとともに、前記機能的形状ストリップ（７）にはカバーストリップ（５６）が一方側に設けられ、前記カバーストリップ（５６）が、弾性変形可能な材料から成り、２つの形状要素（３、４）の重なり領域と重なり合うとともに、シールの形態で構成されて、中実又は中空の形状部品の形態を成していることを特徴とする、請求項１〜３８のいずれか一項に記載の引き出し。
【請求項５１】
前記両方のサイドバー（１）の平行に延びて離間配置される形状要素（３、４）には、互いに対向する側に、互いに平行に延び且つ互いに離間して配置されるとともに引き出し機能部品（５９）のための受け部として構成されるサイドウェブ（５７）が設けられていることを特徴とする、請求項１〜５０のいずれか一項に記載の引き出し。
【請求項５２】
前記サイドウェブ（５７）には、互いに離間して配置され且つ自由端から延びる切り欠き（５８）が設けられ、前記切り欠き（５８）を画定する縁部を貫通するアンダーカットペグ（６０）が前記引き出し機能部品（５９）の少なくとも１つの前面に対して取り付けられ或いは一体に形成されていることを特徴とする、請求項５１に記載の引き出し。
【請求項５３】
前記機能的形状ストリップ（７）の少なくとも１つの前端が前記形状要素（３、４）の関連する端面からオフセットされ、この領域では、プレート状部品（６４）を受けるための長手方向溝が設けられたアタッチメント形状部（６２）が前記形状要素（３）に対して取り付けられていることを特徴とする、請求項１に記載の引き出し。
【請求項５４】
前記機能的形状ストリップ（７）内には長手方向に延びるボルト（６１）が挿入され、当該ボルトの自由端面が、前記形状要素（３、４）の端面と面一であるとともに、前記アタッチメント形状部（６２）の穴を通っていることを特徴とする、請求項５３に記載の引き出し。
【請求項５５】
導電材料から成り且つ電圧を印加することができる固定極（６７、６８）と接触する少なくとも２つの導体レール（６５、６６）が、家具本体に面する側で、前記機能的形状ストリップ（７）内又は前記形状要素（３、４）内に取り付けられていることを特徴とする、請求項１〜５４のいずれか一項に記載の引き出し。
【請求項５６】
前記極（６７、６８）に対して安全ＤＣ電圧を印加できることを特徴とする、請求項５５に記載の引き出し。
【発明の詳細な説明】
【技術分野】
【０００１】
本発明は、引き出しベースと、フロントパネルと、後壁とを備える引き出しであって、引き出しの移動方向に延び且つそれぞれが引き出しベースのための締結要素と中空形状部を形成する複数の形状要素とから形成される２つの側方バーを備える引き出しに関する。
【背景技術】
【０００２】
当該引き出しは家具本体で使用される。締結要素は、数多くの方法で、例えば引き出しベースの縁部が固定される脚部を一方側に有する下方に開放する中空形状レールとして構成される場合がある。この締結要素を用いると、例えば手引式引き出しの伸縮ランナーレールも係合する。引き出しの側方バーは、全体が中空の形状部分を形成するために互いに結合される２つ以上の形状要素から形成される。この中空形状部は、好ましくは中空形状部内に位置される締結要素に対して接続される。当該引き出しにおいては、側方バーが側方の限界を形成し、伸縮可能な引き出しの場合、後壁及びフロトパネルの矩形のベースがバーに対して垂直に位置される。また、これと異なるベースを有する引き出し、例えば台形を一方側に有する引き出しも知られている。バー及び後壁並びにフロントパネルがこのベースに対して適合される。
【０００３】
当該引き出しは、様々なタイプの家具、例えばキッチン家具、リビングルーム家具、ベッドルーム家具等においてうまく受け入れられていることは明らかである。
【発明の開示】
【発明が解決しようとする課題】
【０００４】
本発明の目的は、冒頭で詳しく説明したタイプの引き出しであって、側方バーの安定性が高められ、怪我の危険が抑制され或いは少なくとも軽減されるとともに、使い易い構造を有する引き出しを構成することである。
【課題を解決するための手段】
【０００５】
かかる目的は、引き出しベースから離れた引き出しの上側領域において、ロックにより及び／又は接着層により、少なくとも一方の側方バー及び／又はフロントパネル及び／又は後壁に対して少なくとも１つの機能的形状ストリップが固定されるという点で達成される。
【０００６】
機能的形状ストリップは、形状要素から形成される中空形状部分が安定化されるだけでなく例えば引き出しの内部を分割するために引き出し挿入体を機能的形状ストリップに対して固定することができるという更なる機能も果たすことができるように構成されている。その結果、使用者の要求にしたがって、この引き出し内部を個別に分けることができる。この種の分割は、家具のタイプによって、例えば家具がキッチン家具、リビングルーム家具、あるいは、玄関家具等であるかどうかにによっても決定される。また、例えば機能的形状ストリップの目に見える表面に装飾フィルムが設けられるという点で或いはこの表面に模様が付けられるという点で、装飾効果を得ることもできる。
【０００７】
第１の実施形態は、単一のチャンバを有する安定化中空形状ストリップとして構成される機能的形状ストリップを提供する。これにより、機能的形状ストリップを、形状要素から形成される中空形状部に対して積極的に及び／又は非積極的に取り付けることができる。この場合、引き出しベースから離れた中空形状部の領域と重なり合う機能的形状ストリップが設けられる。
【０００８】
好ましい実施形態は、Ｃ形状断面を有する機能的形状ストリップを提供し、そのため、機能的形状ストリップは、中空形状部の上側領域とその全長にわたって重なり合う。また、この場合、他の構造は、非対称な断面を有する機能的形状ストリップを提供する。機能的形状ストリップが弾性変形可能な材料から形成されると、互いに対向し且つ中空形状部の溝と係合し及び／又は中空形状部の角ばった領域の背後に達するロックウェブを備える自由端領域が設けられる。機能的形状ストリップによって安定効果のみが得られるべき場合には、前記機能的形状ストリップが単一チャンバ中空形状ストリップとして構成される。
【０００９】
一方、更なる機能が必要とされる場合には、マルチチャンバ形状ストリップとして構成され且つ少なくとも１つの開放チャンバと少なくとも１つの閉じられたチャンバとを有する機能的形状ストリップが設けられる。開放チャンバを通じて、先と同様に、機能的形状ストリップを中空形状部の上縁に対して積極的に及び／又は非積極的に取り付けることができる。このとき、閉じられたチャンバは、他の目的のために利用できる。あるいは、しかしながら、機能的形状ストリップは、少なくとも１つの開放チャンバと、少なくとも１つの中実アームとから成ることもできる。この中実形状アーム又は閉じられたチャンバは、その機能に基づいて構成することができる。
【００１０】
関連分野においては、引き出しの内部を照明したいという要求がある。したがって、この機能を果たすため、マルチチャンバ形状ストリップとして構成され且つ一方側が開放する少なくとも２つのチャンバを有する機能的形状ストリップが設けられる。この場合、一方のチャンバは、引き出し部品を備える接続チャンバとして構成され、他方の開放チャンバは、１つ以上の光源のための光源受けチャンバとして構成される。光源を受けるチャンバは、光ビームが引き出しの内部へと方向付けられるように構成される。使用される光源はＬＥＤであることが好ましい。これは、これらの要素が極めてコンパクトな寸法であり且つその所要電力が非常に少ないからである。これらの光源を保護するべく、半透明材料から成るカバーストリップを固定するために少なくとも１つのロックウェブが備えられた光源受けチャンバが設けられる。その結果、光源が最適に保護され、それにもかかわらず、内部が最適に照明される。ロックウェブを使用することにより、組み付け及び分解が簡単になり、例えばネジなどの更なる締結要素が不要になる。
【００１１】
好ましい実施形態は、互いに平行に延び且つ互いに離間する２つのロックウェブが設けられた光源受けチャンバと、それに対応して適合される保持ウェブが設けられたカバーストリップとを提供する。２つのロックウェブ及び２つの保持ウェブは最適な接続を確保する。
【００１２】
キッチン家具のための引き出しでは、特に、例えば様々なタイプの刃物類（食卓食器類）を別々に収納するために分割が行われる。キッチンには、ボトル、缶、及び、食品ではなく他の調理用語を収容する同様の容器が格納される。したがって、少なくとも引き出しベースから離れた側方バーの側は、機能的形状ストリップを引き出し挿入体のための保持ストリップとして利用できるようにするべく構成される。この引き出し挿入体は、機能的形状ストリップから吊るすことができ或いは機能的形状ストリップに対して固定することができる。また、前述した機能を個別に或いは組み合わせて果たすことができることに留意すべきである。
【００１３】
視覚的印象を高めるため、少なくとも引き出しベースから離れた機能的形状ストリップの目に見える表面に装飾コーティングが設けられ、あるいは、この表面がパターンを有する。好ましい実施形態では、装飾コーティングがプラスチックフィルムから成ることができる。好ましい実施形態は、金属材料又はプラスチック材料から成る機能的形状ストリップを提供する。機能的形状ストリップが金属から形成される場合には、目に見える表面を表面処理に晒さなければならない。例えば、目に見える表面をニッケルメッキ又はクロムメッキしなければならない。
【００１４】
本発明に係る引き出しの有利な構造の更なる特徴は、更なる従属請求項の主題を形成するとともに、好ましい実施形態の以下の説明から明らかになる。
【発明を実施するための最良の形態】
【００１５】
簡単にするため、図は、引き出しの一方側のバー１のみを示している。引き出しのフロントパネルに焦点を合わせて、左側バー１が示されている。バーは、締結要素２と、中空の形状部分を形成する２つの形状要素３、４と、形状要素内に配置される保持部品５と、引き出しベース６に対して離れて位置される機能的形状ストリップ７とから実質的に成る。締結要素２は下方へ開放しており、その内部には更なる補強形状部が固定されている。図１に係る機能的形状ストリップ７は非対称なＣ形状断面を有しており、その自由端には互いに対向するロックウェブ８、９が設けられている。図面の左側に示されるロックウェブ８は形状要素３の溝と係合し、一方、ロックウェブ９は形状要素３の角ばった領域の背後に達している。
【００１６】
図１は、機能的形状ストリップ７がサイドバー１に対して図示の形態で固定され得るように弾性的に変形可能でなければならないことを示している。また、サイドバー１は、特定の動作において以下で更に詳しく説明する方法で利用される連続溝１０が引き出し内部に面する側に形成されるように構成されている。
【００１７】
図２に係る機能的形状ストリップ７の基本的な断面は、図１に係るそれと同じである。しかしながら、引き出しベース６から離れた上面は、中実のアーム１１に対して接続されている。アームは、機能的形状ストリップ７の全長にわたって延びていてもよい。これにより、正方形と見なすことができる外面が形成される。また、アーム１１は安定化させる効果も有する。しかしながら、アームは、機能的形状ストリップ７の弾性変形可能性を保つ材料から形成されなければならない。
【００１８】
図３に係る実施形態において、機能的形状ストリップ７の基本的な断面は図１及び図２に係るそれと同じであるが、機能的形状ストリップ７は、基本的な断面に弓形のアタッチメント１２が設けられていることから、２つのチャンバ１３、１４から成っており、そのため、チャンバ１３が閉じられるとともに、ロックウェブ８、９に関連付けられるチャンバ１４が開放している。弓形のアタッチメント１２は、引き出し内部に面する側に直線状の延在部を伴って、ほぼ半円形状に延びている。
【００１９】
図４に係る実施形態では、閉じられたチャンバ１３が２つの傾斜ウェブによって形成され、そのため、チャンバ１３の断面を三角形と見なすことができる。このアタッチメントの上面は、水平軸に対抗して引き出しガイド（図示せず）へ向けて方向付けられている。
【００２０】
図５は、機能的形状ストリップ７の同じ基本的断面を再び示しているが、この場合、サイドバー１の高さを大きく増大させる弓形のアタッチメント１２を伴っている。断面において、この弓形のアタッチメント１２は逆Ｖ字形状を成している。図５が示すように、逆Ｖ字形状のアタッチメントはサイドバー１とほぼ同じ高さである。
【００２１】
図６に係る実施形態では、前述した実施形態とは異なり、ロックウェブ８、９が外側に向けられて溝と係合している。この目的のため、形状要素３の上側領域がＴ形状溝の形態で構成されている。図１〜５に係る実施形態では機能的形状ストリップ７が形状要素３に取り付くために拡張されなければならないのに対し、この実施形態では、機能的形状ストリップが圧縮されなければならない。
【００２２】
図７に係る実施形態では、機能的形状ストリップ７の断面が非対称なＣ形状であるが、ロックウェブ８、９が省かれている。この実施形態において、機能的形状ストリップ７は、これ以上詳しく図示しない方法で、接着層を使用して形状要素３の上側領域に対して固定される。また、形状要素３が１部品の状態で形成されており、そのため、形状要素４が省かれる。サイドバー１の２つの外面は機能的形状ストリップ７の外側面と面一である。これは、形状要素３の上側領域が内側にオフセットされているからである。
【００２３】
図８に係る実施形態でも、ロックウェブ８、９が省かれてしまっている。しかしながら、機能的形状ストリップ７には、引き出しの内部に面する側に、引き出しベース６のほぼ上側まで延びる内側脚部１５が設けられている。図８も示すように、内側脚部１５の下側領域は、角度を成しており、締結要素２の傾斜ウェブの背後に達している。
【００２４】
図９に係る実施形態では、家具本体の側に面する外側脚部１６が機能的形状ストリップ７と一体に形成されている。この外側脚部１６の下端は、先と同様に角度を成し或いは弓形を成しており、締結要素２の背後に達している。
【００２５】
図１０に係る実施形態では、機能的形状ストリップ７が先と同様にＣ形状を成しているが、この場合、内面がその領域全体にわたって形状要素３の外面に当接しておらず、したがって、キャビティ１７が形成されている。機能的形状ストリップ７を固定するため、互いに接触する面に接着層１８が設けられ、これにより、強固な接続部が形成される。
【００２６】
図１１に係る実施形態においても、機能的形状ストリップ７の内面がその領域全体にわたって形状要素３と当接しておらず、そのため、先と同様にキャビティ１７が形成されている。形状要素３及び機能的形状ストリップ７は、接着性のある複数のストリップ１９によって接続されている。好ましい実施形態では、これらが共押出し成形によって形成される。
【００２７】
図１２に係る実施形態では、締結要素２が機能的形状ストリップ７の領域内へ突出している。締結要素２には、連続溝によって互いに離間される２つのスプリングウェブ２０、２１が設けられている。機能的形状ストリップ７のロックウェブ８、９は、弓形を成しており、外側に向けて開放している。機能的形状ストリップ７は、スプリングウェブ２０、２１の変形を用いて、機能的形状ストリップ７の弾性変形によって取り付けられる。図示のように、機能的形状ストリップ７の目に見える表面は、水平軸に対抗して引き出しガイド（図示せず）へ向けて傾斜されており、波状を成している。
【００２８】
図１３に係る実施形態は、機能的形状ストリップ７の断面が変更されている点に関して図１２の実施形態と異なっており、ロックウェブ８、９は先と同様に弓形形状で延びている。機能的形状ストリップ７の目に見える上面は、弓状に延びており、機能的形状ストリップ７の断面は非対称であり、その高さは引き出しの内側へ向かって減少している。この実施形態では、後壁２２も示されている。
【００２９】
図１４、１５、１６に係る実施形態においても、先と同様に、２つのスプリングウェブ２０、２１及び弓形のロックウェブ８、９が設けられている。しかしながら、機能的形状ストリップ７の断面形状に違いがある。断面形状は対称であり、図１４に図示される実施形態は滑らかな上面を有するマッシュルーム形状であり、これに対し、図１５に係る実施形態は大体半円であり、図１６に係る実施形態は楔形状又は先の尖った断面を成している。
【００３０】
図１７に係る実施形態においては、機能的形状ストリップ７の断面が先と同様に非対称であり、ロックウェブ８、９も同様に外側に向けられ、したがって、Ｔ形状溝と係合している。機能的形状ストリップ７の外側の目に見える上面は、僅かに弓形を成しており、引き出しの内部へ向けて傾けられている。あるいは、この図は、機能的形状ストリップ７を中実アームとして構成できることを示すことも意図している。しかしながら、この場合、機能的形状ストリップは、ロックウェブ８、９を溝内へ押し込むことができるように柔軟な材料から形成されていなければならない。機能的形状ストリップ７の基本的な断面に関して、図１８に係る実施形態は図１３に係る実施形態に対応しているが、この場合、機能的形状ストリップ７の上側の目に見える表面上に中実アーム２３が配置され或いは取り付けられている。
【００３１】
機能的形状ストリップ７の断面に関して、図１９に係る実施形態は図１４に係る実施形態に対応しているが、この場合、機能的形状ストリップ７の上側に中実アーム２３が設けられている。
【００３２】
機能的形状ストリップ７の基本的な断面に関して、図２０に係る実施形態は図１５に係る実施形態に対応しているが、この実施形態でも、機能的形状ストリップ７に中実アーム２３が設けられている。中実アームは、機能的形状ストリップ７の幅全体にわたって延びている。
【００３３】
機能的形状ストリップ７の基本的な断面に関して、図２１に係る実施形態は図１６に係る実施形態に対応しているが、この場合にも、機能的形状ストリップ７に中実アーム２３が設けられている。
【００３４】
図２２〜図２４に係る実施形態において、引き出し２４には光源が取り付けられている。簡単のため、引き出し２４は図２２〜図２４においてのみ全体的に示されている。これらの図は、フロントパネル２５の高さが後壁２２の高さよりも大きいことを示している。
【００３５】
図２２に係る実施形態では、形状要素３、４の上縁領域に２つの光源２６、２７（詳しく図示されていない）が取り付けられている。光源２６、２７は機能的形状ストリップ７内に設置することができる。図２２に係る実施形態では、光源２６、２７が側方の機能的形状ストリップ７内に設置されている。
【００３６】
図２３に係る実施形態では、複数の光源２６、２７、２８、２９が機能的形状ストリップ７内に設置されている。この実施形態では、４つの機能的形状ストリップ７が設けられており、そのため、引き出しの内部が全周にわたって照明される。
【００３７】
図２４に係る実施形態においても、引き出し２４に２つの光源２６、２７が設けられ、これらの光源も側方の機能的形状ストリップ７内に設置されている。後壁２２の内面上に、これ以上詳しく説明しない方法で２つの更なる光源を設置することもできる。
【００３８】
図２５は、引き出し２４にロッド状のレールが設けられるとともに各レール内に光源２６が設置されている状態を示している。光ビームを引き出し２４の内部へと案内することができるように、レールには対応するスロットが設けられている。
【００３９】
図２６は、表面が滑らかな形状要素３の上側領域に光源２６を配置した状態を示している。引き出し２４は、適切なシートメタルブランクを曲げることによって形成される。機能的形状ストリップ７には、閉じられたチャンバ３０と、一方側が開放したチャンバ３１とが設けられている。光源２６は、好ましくはＬＥＤの形態で開放チャンバ３１内に設置される。引き出し２４の内部に面する側において、開放チャンバ３１は半透明材料から成るカバーストリップ３２によってシールされており、これにより、光源２６が損傷しないように保護されている。カバーストリップ３２は、接着又はロッキングにより機能的形状ストリップ７に対して固定できる。この実施形態では、機能的形状ストリップ７にフックが設けられており、そのため、表面が滑らかな形状要素３の上端から機能的形状ストリップを吊るすことができる。
【００４０】
図２７に係る実施形態において、表面が滑らかな形状要素３は、図２６に係る実施形態の場合よりもかなり厚くなっている。したがって、機能的形状ストリップ７の断面も大きくなっている。機能的形状ストリップは、閉じられたチャンバ３０と、光源２６を受けるための開放チャンバ３１と、更なる閉じられたチャンバ３３とを含むとともに、機能的形状ストリップ７を側方締結要素２に対して固定するためのネジ留め式ウェブ３４も含んでいる。次に、図２８〜図３５に係る実施形態は、サイドバー１が２つの形状要素３、４及び締結要素２から形成される実施形態を示している。
【００４１】
図２８に係る実施形態において、機能的形状ストリップ７には、側方の形状要素３と対向する側に締結ウェブ３５が設けられている。この実施形態でも、機能的形状ストリップ７は、螺合により或いは接着層を使用することにより、形状要素３に対して強固に接続することもできる。この実施形態においても、カバーストリップ３２及び機能的形状ストリップ７が１部品で形成される。図示のように、光ビームは常に引き出し６へと向けられている。
【００４２】
図２９に係る実施形態は、カバーストリップ３２が開口内に挿入され且つ例えば接着により固定することもできる点で、図２８に係る実施形態と異なっている。
【００４３】
図３０及び図３１に係る実施形態は、互いに平行に延び且つ互いに離間する２つのロックウェブ３６、３７が開放チャンバ３３に設けられるとともに、カバーストリップ３２が保持ウェブ３８、３９を有し、そのため、力の作用により、ロックウェブ３６、３７及び保持ウェブ３８、３９を変形させてこの接続を形成できることを示している。
【００４４】
図３１に係る実施形態は、光源２６の構造が異なっている点で、図３０に係る実施形態と異なっている。
【００４５】
図３２に係る実施形態では、カバーストリップ３２が機能的形状ストリップ７に対して接着されている。機能的形状ストリップ７は、形状要素３に向かって延びるとともにＵ形状のカバーストリップ３２の内面と接触する２つの表面を有するように構成されている。この実施形態では、光ビームが上方へ向けて、すなわち、引き出し６から離れるように方向付けられる。
【００４６】
図３３に係る実施形態は図３２に係る実施形態にほぼ対応しているが、この場合、断面がＵ形状のカバーストリップ３２は、上側領域が不透明で且つ側方領域が半透明となるように構成されており、それにより、光源は、光を両側へ向けて発する。この実施形態では、光源２６がロッド状である。
【００４７】
図３４に係る実施形態では、カバーストリップ３２が図３０及び図３１に係る実施形態にしたがって結合されている。しかしながら、機能的形状ストリップ７は、サイドバー１の溝１０と係合できるように構成されており、それにより、接続要素又は接着剤が不要となる。この実施形態では、光ビームが斜め上方へ向けられる。
【００４８】
図３５に係る実施形態において、サイドバー１には、引き出しの内部に面する側に、光源２６が内部に挿入される窪みが設けられている。この場合も、光ビームは斜め上方へ方向付けられる。カバーストリップ３２も先と同様にロックウェブ３６、３７及び保持ウェブ３８、３９によって固定される。また、図３５は、溝１０を除く内面が滑らかな面を有することも示している。
【００４９】
図３６〜図４２は、引き出し挿入体をサイドバー１に対してどのように固定できるのかを一例として示している。
【００５０】
図３６〜図３８に係る実施形態において、引き出し挿入体４０はチャンネル状を成している。このタイプの引き出し挿入体４０は、これ以上詳しく図示しない方法で、各サイドバー１に対して固定することができる。図３６〜図３８に係る実施形態では、引き出し挿入体がサイドバー１から吊り下げられる。この目的のため、図３６に係る実施形態では、機能的形状ストリップ７がサイドバーの上縁から吊るされる。この実施形態では、機能的形状ストリップ７及び引き出し挿入体４０が１部品として形成される。
【００５１】
図３７に係る実施形態では、上側に向けられたウェブ４１が機能的形状ストリップ７に設けられ、一方、引き出し挿入体４０の関連する縁部がフック状を成しており、そのため、引き出し挿入体４０が機能的形状ストリップ７に対して解放可能又は取り外し可能に接続される。
【００５２】
図３８に係る引き出し挿入体４０と機能的形状ストリップ７との間の接続は、図３７に係る実施形態に対応している。しかしながら、引き出し挿入体４０は引き出しベース６に至るまで延びている。
【００５３】
図３９に係る実施形態において、引き出し挿入体４０は、図３７及び図３８に係る実施形態の場合と同じ方法で機能的形状ストリップ７に対して接続されている。しかしながら、この実施形態において、引き出し挿入体４０は、１つ以上のボトルを内部に配置できるボトルホルダとして構成されており、これにより、引き出し２４の出し入れ中に転倒する危険が排除される。
【００５４】
図４０に係る実施形態では、平坦な容器として構成される引き出し挿入体４０が、少なくとも１つのサイドバー１に対して取り付けられている。この目的のため、機能的形状ストリップ７に開放チャンバ３１が設けられ、この開放チャンバ内へ２つのロックウェブ３６、３７が突出される。先と同様に、２つの保持ウェブ３８、３９が引き出し挿入体４０と一体に形成され、それにより、力の作用によって引き出し挿入体４０をサイドバー１に対して取り付けることができ或いはサイドバー１から取り外すことができる。引き出し挿入体４０と側方バー１又は機能的形状ストリップ７との間のロック接続部は、スライドガイドとして構成される。
【００５５】
図４１に係る実施形態でも、引き出し挿入体４０が機能的形状ストリップ７と結合される。この目的のため、長手方向ボ−ルベアリングガイドが、引き出し２４のスムーズな出し入れのために開放チャンバ３１内に挿入される。
【００５６】
図４０及び図４１に係る実施形態では引き出し挿入体４０のロック要素が側壁の外面に取り付けられているのに対し、図４２に係る実施形態では、ベースが角部の領域内へと内側に引き込まれており、それにより、機能的形状ストリップ７の開放チャンバ３１が上方へ向けられている。このとき、引き出し挿入体４０のロック要素は下方を向いている。
【００５７】
機能的形状ストリップ７の目に見える表面は、これ以上詳しく図示しない方法で装飾されている。したがって、例えば、機能的形状ストリップ７が金属から成ることができ、また、装飾コーティングが装飾フィルムから成ることができる。しかしながら、機能的形状ストリップ７に関しては、プラスチック材料から形成することも考えられ、また、目に見える表面を表面改良に晒すことも考えられる。機能的形状ストリップ７が金属から形成される場合には、目に見える表面をクロムメッキし或いはニッケルメッキすることもできる。したがって、本出願に係る機能的形状ストリップ７は、４つの機能、すなわち、サイドバー１を安定化させる機能、光源２６〜２９を支持し或いは受ける機能、引き出し挿入体４０を支持する機能、装飾を与える機能を選択的に或いは組み合わせて有する。
【００５８】
図４３及び図４４は、機能的形状ストリップ７が２つの部品で形成される実施形態を示している。機能的形状ストリップは、形状要素３に対して固定される基本形状ストリップ４２と、基本形状ストリップに対して積極的に及び／又は非積極的に接続されたカバー形状ストリップ４３とから成る。基本形状ストリップ４２は、カバー形状ストリップ４３に面する側にアンダーカット溝４４を有しており、このアンダーカット溝にカバー形状ストリップ４３の対向する形状部が係合する。カバー形状ストリップ４３には、基本形状ストリップ４２から離れた外側に、カバー形状ストリップ４３を図４３の非係合位置から図４４の係合位置へと押し込むための隆起したハンドル４５が設けられている。カバー形状ストリップ４３は、更なる要素５３を形状要素３、４又は機能的形状ストリップ７に対して固定できるようにするべく構成することができる。図４３及び図４４が示すように、基本形状ストリップ４２には、アンダーカット溝４４の領域に、カバー形状ストリップ４３の対向する形状部のロック凹部４７と係合するロックカム４６が設けられている。基本形状ストリップ４２及びカバー形状ストリップ４３は適切なプラスチック材料から形成することができる。図４３及び図４４が示すように、基本形状ストリップ４２は、形状要素３の上縁に対して積極的に固定される。基本形状ストリップ４２は断面がほぼＵ字形状を成している。カバー形状ストリップ４３はスライドと称することもできる。
【００５９】
図４５及び図４６に係る実施形態は、基本形状ストリップ４２及びカバー形状ストリップ４３が弾性変形可能な接続ストリップ４８によって互いに結合される実施形態を示している。接続ストリップ４８の代わりに、フィルムヒンジによって関節接続部を形成することもできる。この実施形態は、基本形状ストリップ４２がカバー形状ストリップ４３に対して取り外し不可能に接続されるという利点を有する。図４５は、基本形状ストリップ４２に対して所定の角度を成すカバー形状ストリップ４３の非接続位置を示している。図４６は接続位置を示している。この目的のため、カバー形状ストリップ４３には、基本形状ストリップ４２に面する側に、基本形状ストリップ４２に対応して形成されたロック溝５０と係合するロックウェブ４９が取り付けられ或いは一体に形成される。ロックウェブ４９は、ロック溝５０と隣接する基本形状ストリップ４２の領域のように弾性変形可能である。弾性接続ストリップ４８から離れたカバー形状ストリップ４３の端部は曲げられており、この脚部５１が引き出し機能部分５３の対応する溝と係合する。
【００６０】
図４７に係る実施形態において、形状要素３には、形状要素４に対する接続領域に、角度のある断面を有し且つ引き出し部品５３の背後に達するフック５２が取り付けられている。このフック５２は、弾性変形可能な材料、例えばゴム又は適当なプラスチック材料から形成される。
【００６１】
図４８及び図４９に係る実施形態においても、機能的形状ストリップは、図４３及び図４４に係る実施形態にしたがって２部品で形成されており、したがって、先と同様に、基本形状ストリップ４２とカバー形状ストリップ４３とから成る。しかしながら、結合手段がより簡単である。すなわち、結合手段は、先と同様、ロック溝５４と、このロック溝に係合するロックウェブ５５とから成る。図示の実施形態では、ロック溝５４が基本形状ストリップ４２に設けられているのに対し、ロックウェブ５５がカバー形状ストリップ４３に取り付けられ或いはカバー形状ストリップ４３と一体に形成されている。図示の実施形態では、ロック溝５４及びロックウェブ５５の断面が半円であり、例えば２つのストリップ間に非積極的な接続を与えるために等位構造が成されている。
【００６２】
図５０に係る実施形態では、機能的形状ストリップ７が１つの部品のみから成る。形状要素３、４間の接続領域に隣接する領域には、シールの形態で形成され且つ好ましくは弾性変形可能な材料から成るカバーストリップ５６が一体形成されている。図示のように、これにより、引き出し部品５３と機能的形状ストリップ７又はカバーストリップ５６との間に隙間の無い構造が形成される。
【００６３】
カバーストリップ５６は、機能的形状ストリップ７と１部品で形成することができるが、例えば接着によって関連する縁部に接続することもできる。
【００６４】
図５１は図５０の変形を示している。この実施形態では、図５０に係る実施形態と異なり、カバーストリップ５６が中空形状部材として構成されている。この構造も引き出し部品５３とカバーストリップ５６との間に隙間の無い構造を形成する。
【００６５】
図５２〜図５４に係る実施形態において、互いに平行に或いは互いに離間して延びるサイドウェブ５７が２つのサイドバー１の互いに対向する面に対して取り付けられ或いは一体に形成されている。互いに離れて配置された２つのサイドバー１のサイドウェブ５７は、垂直に或いは引き出しのベース（図示せず）に対して垂直に位置されている。各サイドウェブ５７には、互いに離間して配置され且つ図示の実施形態では矩形の複数の切り欠き５８が形成されている。図示のように、少なくとも一方のサイドウェブ５７には引き出し機能部品５９を取り付けることができる。図示の実施形態とは異なり、引き出し機能部品は例えばロール等を受けるためにロッド状を成すこともできる。引き出し機能部品５９には、サイドウェブ５７に面する端面において、少なくとも一方側に、アンダーカットペグ６０が設けられており、このアンダーカットペグ６０は、側縁領域が切り欠きを画定する縁部の背後に達するように構成されている。図５２及び図５３はこのタイプの構造の斜視図であり、一方、図５４はこの構造の正面図である。
【００６６】
図５５及び図５６は、機能的形状ストリップ７の端面が形状要素３、４の端面からオフセットされる実施形態を示している。このオフセットに隣接する領域内にはボルト６１が挿入されており、ボルト６１は、機能的形状ストリップ３内へとその長手方向に延びるとともに、その自由前端が形状要素３、４の端面と面一になっている。形状要素３の上側領域には、形状要素３の上側形状に対応する凹部６３を有するアタッチメント形状部６２が取り付けられており、そのため、アタッチメント形状部６２をボルトに接続することができる。図示の実施形態では、アタッチメント形状部が中実ロッド又はプリズムから成り、その基本的な形状断面が正方形を成している。アタッチメント形状部６２の一方側には、例えば引き出しの後壁を引き上げるためにプレート状構造要素６４を挿入することができる溝状開口が設けられている。アタッチメント形状部６２には、ボルト６１を挿入できる適切に位置決めされた穴が設けられている。形状要素３の上側領域が最終的に凹部６３と係合しさえすれば、３つのボルト６１の代わりに、１つのボルトを備える或いは２つのボルトを備える実施形態も考えられる。
【００６７】
図５７に係る実施形態では、２つの離間する導体レール６５、６６が機能的形状ストリップ７内に配置される。導体レール６５、６６は、短絡を回避するために接触しないように離間して配置される。電源に接続可能な２つの極６７、６８を通じて電力が印加される。導体レール６５、６６により、引き出し内の電力消費体に対して電力を供給することができる。これらの電力消費体は例えば光源である。安全のため、好ましい実施形態は、極６７、６８及び導体レールに対して印加されるＤＣ電流を安全な電圧で供給する。したがって、コンセント電源と極６７、６８との間にトランス及び整流回路が挿入される。導体レールは、極６７、６８に面する側で連続している。反対側において、導体レールにはロックカムが設けられており、そのため、導体レールを対応する開口を通じて固定することができる。導体レール６５、６６は導電材料によって形成される。これらのレールは、図示の方法とは異なり、形状要素３内に配置することもできる。
【００６８】
本発明は、図示の実施形態に限定されない。肝心なことは、引き出し２４のサイドバー１の上側領域で機能的形状ストリップ７を取り付け固定でき、それにより、前述した目的のために機能的形状ストリップを使用できるという点である。
【図面の簡単な説明】
【００６９】
【図１】安定化形状部の形態を成して取り付けられた機能的形状ストリップを有する本発明に係る引き出しのサイドバーを示している。
【図２】安定化形状部の形態を成して取り付けられた機能的形状ストリップを有する本発明に係る引き出しのサイドバーを示している。
【図３】安定化形状部の形態を成して取り付けられた機能的形状ストリップを有する本発明に係る引き出しのサイドバーを示している。
【図４】安定化形状部の形態を成して取り付けられた機能的形状ストリップを有する本発明に係る引き出しのサイドバーを示している。
【図５】安定化形状部の形態を成して取り付けられた機能的形状ストリップを有する本発明に係る引き出しのサイドバーを示している。
【図６】安定化形状部の形態を成して取り付けられた機能的形状ストリップを有する本発明に係る引き出しのサイドバーを示している。
【図７】安定化形状部の形態を成して取り付けられた機能的形状ストリップを有する本発明に係る引き出しのサイドバーを示している。
【図８】安定化形状部の形態を成して取り付けられた機能的形状ストリップを有する本発明に係る引き出しのサイドバーを示している。
【図９】安定化形状部の形態を成して取り付けられた機能的形状ストリップを有する本発明に係る引き出しのサイドバーを示している。
【図１０】安定化形状部の形態を成して取り付けられた機能的形状ストリップを有する本発明に係る引き出しのサイドバーを示している。
【図１１】安定化形状部の形態を成して取り付けられた機能的形状ストリップを有する本発明に係る引き出しのサイドバーを示している。
【図１２】安定化形状部の形態を成して取り付けられた機能的形状ストリップを有する本発明に係る引き出しのサイドバーを示している。
【図１３】安定化形状部の形態を成して取り付けられた機能的形状ストリップを有する本発明に係る引き出しのサイドバーを示している。
【図１４】安定化形状部の形態を成して取り付けられた機能的形状ストリップを有する本発明に係る引き出しのサイドバーを示している。
【図１５】安定化形状部の形態を成して取り付けられた機能的形状ストリップを有する本発明に係る引き出しのサイドバーを示している。
【図１６】安定化形状部の形態を成して取り付けられた機能的形状ストリップを有する本発明に係る引き出しのサイドバーを示している。
【図１７】安定化形状部の形態を成して取り付けられた機能的形状ストリップを有する本発明に係る引き出しのサイドバーを示している。
【図１８】安定化形状部の形態を成して取り付けられた機能的形状ストリップを有する本発明に係る引き出しのサイドバーを示している。
【図１９】安定化形状部の形態を成して取り付けられた機能的形状ストリップを有する本発明に係る引き出しのサイドバーを示している。
【図２０】安定化形状部の形態を成して取り付けられた機能的形状ストリップを有する本発明に係る引き出しのサイドバーを示している。
【図２１】安定化形状部の形態を成して取り付けられた機能的形状ストリップを有する本発明に係る引き出しのサイドバーを示している。
【図２２】内部に焦点を合わせた、光源を備える引き出しの斜視図である。
【図２３】内部に焦点を合わせた、光源を備える引き出しの斜視図である。
【図２４】内部に焦点を合わせた、光源を備える引き出しの斜視図である。
【図２５】光源を受けるように更に構成された機能的形状ストリップが取り付けられた本発明に係る引き出しのサイドバーを示している。
【図２６】光源を受けるように更に構成された機能的形状ストリップが取り付けられた本発明に係る引き出しのサイドバーを示している。
【図２７】光源を受けるように更に構成された機能的形状ストリップが取り付けられた本発明に係る引き出しのサイドバーを示している。
【図２８】光源を受けるように更に構成された機能的形状ストリップが取り付けられた本発明に係る引き出しのサイドバーを示している。
【図２９】光源を受けるように更に構成された機能的形状ストリップが取り付けられた本発明に係る引き出しのサイドバーを示している。
【図３０】光源を受けるように更に構成された機能的形状ストリップが取り付けられた本発明に係る引き出しのサイドバーを示している。
【図３１】光源を受けるように更に構成された機能的形状ストリップが取り付けられた本発明に係る引き出しのサイドバーを示している。
【図３２】光源を受けるように更に構成された機能的形状ストリップが取り付けられた本発明に係る引き出しのサイドバーを示している。
【図３３】光源を受けるように更に構成された機能的形状ストリップが取り付けられた本発明に係る引き出しのサイドバーを示している。
【図３４】光源を受けるように更に構成された機能的形状ストリップが取り付けられた本発明に係る引き出しのサイドバーを示している。
【図３５】光源を受けるように更に構成された機能的形状ストリップが取り付けられた本発明に係る引き出しのサイドバーを示している。
【図３６】機能的形状ストリップが引き出し挿入体を支持するように構成される本発明に係る引き出しのサイドバーを示している。
【図３７】機能的形状ストリップが引き出し挿入体を支持するように構成される本発明に係る引き出しのサイドバーを示している。
【図３８】機能的形状ストリップが引き出し挿入体を支持するように構成される本発明に係る引き出しのサイドバーを示している。
【図３９】機能的形状ストリップが引き出し挿入体を支持するように構成される本発明に係る引き出しのサイドバーを示している。
【図４０】機能的形状ストリップが引き出し挿入体を支持するように構成される本発明に係る引き出しのサイドバーを示している。
【図４１】機能的形状ストリップが引き出し挿入体を支持するように構成される本発明に係る引き出しのサイドバーを示している。
【図４２】機能的形状ストリップが引き出し挿入体を支持するように構成される本発明に係る引き出しのサイドバーを示している。
【図４３】サイドバーに取り付けられた機能的形状ストリップの更なる実施形態を示している。
【図４４】サイドバーに取り付けられた機能的形状ストリップの更なる実施形態を示している。
【図４５】サイドバーに取り付けられた機能的形状ストリップの更なる実施形態を示している。
【図４６】サイドバーに取り付けられた機能的形状ストリップの更なる実施形態を示している。
【図４７】サイドバーに取り付けられた機能的形状ストリップの更なる実施形態を示している。
【図４８】サイドバーに取り付けられた機能的形状ストリップの更なる実施形態を示している。
【図４９】サイドバーに取り付けられた機能的形状ストリップの更なる実施形態を示している。
【図５０】サイドバーに取り付けられた機能的形状ストリップの更なる実施形態を示している。
【図５１】サイドバーに取り付けられた機能的形状ストリップの更なる実施形態を示している。
【図５２】サイドバーの形状要素の更なる変形を示している。
【図５３】サイドバーの形状要素の更なる変形を示している。
【図５４】サイドバーの形状要素の更なる変形を示している。
【図５５】引き出しの後壁を引き上げるように構成された機能的形状ストリップの更なる実施形態を示している。
【図５６】引き出しの後壁を引き上げるように構成された機能的形状ストリップの更なる実施形態を示している。
【図５７】引き出しに対して電力を供給するための可能な実施形態を示している。
【符号の説明】
【００７０】
１…サイドバー、２…締結要素、３、４…形状要素、５…保持部品、６…引き出しベース、７…機能的形状ストリップ、８、９…ロックウェブ、１０…溝、１１…アーム、１２…弓形アタッチメント、１３、１４…チャンバ、１５…内側脚部、１６…外側脚部、１７…キャビティ、１８…接着層、１９…ストリップ、２０、２１…スプリングウェブ、２２…後壁、２３…中実アーム、２４…引き出し、２５…フロントパネル、２６、２７、２８、２９…光源、３０、３１…チャンバ、３２…カバーストリップ、３３…チャンバ、３４…ネジ留め式ウェブ、３５…締結ウェブ、３６、３７…ロックウェブ、３８、３９…保持ウェブ、４０…引き出し挿入体、４１…ウェブ、４２…基本形状ストリップ、４３…カバー形状ストリップ、４４…アンダーカット溝、４５…隆起ハンドル、４６…ロックカム、４７…ロック凹部、４８…接続ストリップ、４９…ロックウェブ、５０…ロック溝、５１…脚部、５２…フック、５３…引き出し部品、５４…ロック溝、５５…ロックウェブ、５６…カバーストリップ、５７…サイドウェブ、５８…切り欠き、５９…引き出し機能部品、６０…アンダーカットペグ、６１…ボルト、６２…アタッチメント形状部、６３…凹部、６４…プレート状要素、６５／６６…導体レール、６７／６８…極。
【図１】
2008541809.tif 000003
【図２】
2008541809.tif 000004
【図３】
2008541809.tif 000005
【図４】
2008541809.tif 000006
【図５】
2008541809.tif 000007
【図６】
2008541809.tif 000008
【図７】
2008541809.tif 000009
【図８】
2008541809.tif 000010
【図９】
2008541809.tif 000011
【図１０】
2008541809.tif 000012
【図１１】
2008541809.tif 000013
【図１２】
2008541809.tif 000014
【図１３】
2008541809.tif 000015
【図１４】
2008541809.tif 000016
【図１５】
2008541809.tif 000017
【図１６】
2008541809.tif 000018
【図１７】
2008541809.tif 000019
【図１８】
2008541809.tif 000020
【図１９】
2008541809.tif 000021
【図２０】
2008541809.tif 000022
【図２１】
2008541809.tif 000023
【図２２】
2008541809.tif 000024
【図２３】
2008541809.tif 000025
【図２４】
2008541809.tif 000026
【図２５】
2008541809.tif 000027
【図２６】
2008541809.tif 000028
【図２７】
2008541809.tif 000029
【図２８】
2008541809.tif 000030
【図２９】
2008541809.tif 000031
【図３０】
2008541809.tif 000032
【図３１】
2008541809.tif 000033
【図３２】
2008541809.tif 000034
【図３３】
2008541809.tif 000035
【図３４】
2008541809.tif 000036
【図３５】
2008541809.tif 000037
【図３６】
2008541809.tif 000038
【図３７】
2008541809.tif 000039
【図３８】
2008541809.tif 000040
【図３９】
2008541809.tif 000041
【図４０】
2008541809.tif 000042
【図４１】
2008541809.tif 000043
【図４２】
2008541809.tif 000044
【図４３】
2008541809.tif 000045
【図４４】
2008541809.tif 000046
【図４５】
2008541809.tif 000047
【図４６】
2008541809.tif 000048
【図４７】
2008541809.tif 000049
【図４８】
2008541809.tif 000050
【図４９】
2008541809.tif 000051
【図５０】
2008541809.tif 000052
【図５１】
2008541809.tif 000053
【図５２】
2008541809.tif 000054
【図５３】
2008541809.tif 000055
【図５４】
2008541809.tif 000056
【図５５】
2008541809.tif 000057
【図５６】
2008541809.tif 000058
【図５７】
2008541809.tif 000059
【国際調査報告】
2008541809.tif 000060
2008541809.tif 000061
2008541809.tif 000062
2008541809.tif 000063
2008541809.tif 000064
2008541809.tif 000065
2008541809.tif 000066
2008541809.tif 000067
2008541809.tif 000068
2008541809.tif 000069
2008541809.tif 000070
2008541809.tif 000071